(57)【特許請求の範囲】
【請求項１】
載置台と、
前記載置台の下面側において矩形状上に配置され、前記載置台を支持する自在型車輪である４つの主走行輪と、
前記載置台に取り付けられ、前記載置台の下面側に配置される支持部と、
前記支持部に取り付けられ、車幅方向に沿う回転軸まわりで前記支持部に対して回転可能な車輪取付台と、
前記４つの主走行輪の対角中心に配置され、前記車輪取付台に取り付けられ、前記車輪取付台に対して回転可能な固定型車輪である補助走行輪と、
前記回転軸まわりにおいて前記車輪取付台が走行面側に回転するように反力を生じる弾性部材と、
前記支持部に取り付けられ、前記支持部に対する位置が変更可能であり、前記回転軸まわりにおいて前記車輪取付台が走行面側に回転可能な限界の位置を決めるストッパと
を備える台車。
【請求項２】
前記支持部は下方に延びる一対の支持壁、および、前記一対の支持壁により支持され、前記回転軸を有し、前記車輪取付台が取り付けられるシャフトを備える
請求項１に記載の台車。
【請求項３】
前記ストッパが前記支持壁の後方側の面に取り付けられ、前記支持壁に対する前記ストッパの取り付け位置が変更可能である
請求項２に記載の台車。
【請求項４】
前記回転軸まわりにおいて前記車輪取付台が前記載置台の下面側に回転可能な限界の位置を決める第２のストッパをさらに備え、
前記第２のストッパが前記一対の支持壁の間に配置され、前記一対の支持壁に取り付けられる
請求項２または３に記載の台車。
【請求項５】
前記載置台の下面側において前記支持部よりも後方側に配置され、前記載置台の下面に取り付けられる支持プレート、および、前記支持プレートにより支持され、前記載置台の前後方向において前記支持プレートに対して移動可能な調節棒をさらに備え、
前記弾性部材の一方の端部が前記車輪取付台に連結され、前記弾性部材の他方の端部が前記調節棒に連結される
請求項１〜４のいずれか一項に記載の台車。
【請求項６】
車幅方向に並べられる一対の前記補助走行輪、前記一対の補助走行輪のそれぞれに取り付けられる一対の前記弾性部材、および、前記調節棒に取り付けられる連結棒をさらに備え、
前記一対の弾性部材の他方の端部が前記連結棒に連結される
請求項５に記載の台車。
【請求項７】
前記載置台の前方部分に取り付けられ、別の台車と連結するための前方連結部、および、前記載置台の後方部分に取り付けられ、別の台車と連結するための後方連結部をさらに備える
請求項１〜６のいずれか一項に記載の台車。
【発明の詳細な説明】
【技術分野】
【０００１】
本発明は、載置台の下面に設けられた４つの主走行輪の他、それら主走行輪に囲まれる位置に設けられた補助走行輪を有する台車に関する。
【背景技術】
【０００２】
台車の走行時においてこれを旋回させて進行方向を変更する際には、その旋回半径ができるだけ小さいことが望ましい。このように、旋回半径を小さくする、すなわち旋回性を高めることにより、狭小な走行路であっても台車を円滑に走行させることができるようになる。こうした旋回性を高めることを目的として、例えば特許文献１に記載の台車では、載置台下面の四隅にそれぞれ主走行輪を設けるとともに、同載置台下面の中央付近に補助走行輪を設けている。このように、主走行輪に加えて、補助走行輪を設けることにより、載置台はその補助走行輪を中心として回動しやすくなるため、台車の旋回性を高めることができるようになる。
【先行技術文献】
【特許文献】
【０００３】
【特許文献１】特開平１０−３１５９８１号公報
【発明の概要】
【発明が解決しようとする課題】
【０００４】
しかしながら、台車の走行面に凹凸が存在していると、補助走行輪と走行面が離間することも含め、両者の接地圧が極めて小さくなって上述したような補助走行輪による旋回性向上の効果が十分に得られなくなったり、逆に補助走行輪が過度の接地圧をもって走行面と接触して台車の直進性を悪化させてしまったりすることがある。
【０００５】
本発明の目的は凹凸が存在する走行面を走行する場合であっても直進性を低下することなく高い旋回性を維持できる台車を提供することである。
【課題を解決するための手段】
【０００６】
〔１〕本発明に従う台車の一形態によれば、載置台と、前記載置台の下面側において矩形状上に配置され、前記載置台を支持する自在型車輪である４つの主走行輪と、前記載置台に取り付けられ、前記載置台の下面側に配置される支持部と、前記支持部に取り付けられ、車幅方向に沿う回転軸まわりで前記支持部に対して回転可能な車輪取付台と、前記４つの主走行輪の対角中心に配置され、前記車輪取付台に取り付けられ、前記車輪取付台に対して回転可能な固定型車輪である補助走行輪と、前記回転軸まわりにおいて前記車輪取付台が走行面側に回転するように反力を生じる弾性部材と、前記支持部に取り付けられ、前記支持部に対する位置が変更可能であり、前記回転軸まわりにおいて前記車輪取付台が走行面側に回転可能な限界の位置を決めるストッパとを備える。
〔２〕前記台車の一例によれば、前記支持部は下方に延びる一対の支持壁、および、前記一対の支持壁により支持され、前記回転軸を有し、前記車輪取付台が取り付けられるシャフトを備える。
〔３〕前記台車の一例によれば、前記ストッパが前記支持壁の後方側の面に取り付けられ、前記支持壁に対する前記ストッパの取り付け位置が変更可能である。
〔４〕前記台車の一例によれば、前記回転軸まわりにおいて前記車輪取付台が前記載置台の下面側に回転可能な限界の位置を決める第２のストッパをさらに備え、前記第２のストッパが前記一対の支持壁の間に配置され、前記一対の支持壁に取り付けられる。
〔５〕前記台車の一例によれば、前記載置台の下面側において前記支持部よりも後方側に配置され、前記載置台の下面に取り付けられる支持プレート、および、前記支持プレートにより支持され、前記載置台の前後方向において前記支持プレートに対して移動可能な調節棒をさらに備え、前記弾性部材の一方の端部が前記車輪取付台に連結され、前記弾性部材の他方の端部が前記調節棒に連結される。
〔６〕前記台車の一例によれば、車幅方向に並べられる一対の前記補助走行輪、前記一対の補助走行輪のそれぞれに取り付けられる一対の前記弾性部材、および、前記調節棒に取り付けられる連結棒をさらに備え、前記一対の弾性部材の他方の端部が前記連結棒に連結される。
〔７〕前記台車の一例によれば、前記載置台の前方部分に取り付けられ、別の台車と連結するための前方連結部、および、前記載置台の後方部分に取り付けられ、別の台車と連結するための後方連結部をさらに備える。
【０００７】
〔１〕の台車によれば以下の効果が得られる。
本台車によれば、走行面の凹凸に応じて弾性部材の弾性変形量が変化し、弾性部材が生じる反力により補助走行輪が適切な圧力で走行面に接地しやすい。このため、凹凸が存在する走行面を台車が走行する場合、直進性の低下が抑制され、高い旋回性が維持されやすい。
また、本台車によれば支持部に対するストッパの位置を変更することにより、補助走行輪が載置台から最も離間したときの距離である最大離間距離を変更できる。このため、例えば凹凸が小さい走行面を台車に走行させる場合に最大離間距離を短く設定し、凹凸が大きい走行面を台車に走行させる場合に最大離間距離を長く設定することにより、車輪取付台が載置台に対して回転可能な範囲を走行面の凹凸に応じて変更できる。このため、直進性の低下を抑制し、高い旋回性を維持する効果が一層得られやすい。
〔５〕の台車によれば以下の効果が得られる。
主走行輪と走行面との接地圧は載置台に載置される荷物の重量によって変化する。これに対して、補助走行輪と走行面との接地圧は主に弾性部材の反力に基づいて決められる。一方、荷物の重量が大きいことにより、主走行輪と走行面との接地圧に対して補助走行輪と走行面との接地圧が小さい場合には、補助走行輪による旋回性の向上に関する効果が得られないおそれがある。他方、荷物の重量が小さいことにより主走行輪と走行面との接地圧に対する補助走行輪と走行面との接地圧が大きい場合には、台車の直進性が低下するおそれがある。
本台車によれば、弾性部材が生じる反力の大きさを調節することにより、載置台に載置される荷物の重量等に応じて補助走行輪と走行面との接地圧を適切な大きさに調節できる。このため、荷物の重量が大きいことにより旋回性が低下するおそれが低減され、荷物の重量が小さいことにより直進性が低下するおそれが低減される。
〔６〕の台車によれば以下の効果が得られる。
本台車によれば、補助走行輪の数が１つの場合と比較して、走行面と補助走行輪との間に生じる摩擦力が増大する。このため、台車の進行方向が変更するときに発生するサイドフォースに起因して台車が横滑りすることが抑制され、台車の旋回性が一層向上させることができるようになる。
〔７〕の台車によれば以下の効果が得られる。
本台車によれば、１または複数の別の台車と連結して使用できる。
【発明の効果】
【００１４】
台車の一形態によれば、凹凸が存在する走行面を走行する場合であっても直進性が低下することなく高い旋回性を維持できる。
【図面の簡単な説明】
【００１５】
【図１】実施形態の台車の底面図である。
【図２】図１の側面図である。
【図３】（Ａ）は図１の車輪取付台の斜視図である。（Ｂ）は図１の下限ストッパの斜視図である。
【図４】（Ａ）は図２の補助走行輪が載置台から最も離間した状態を示す断面図である。（Ｂ）は図２の補助走行輪が載置台に最も近接した状態を示す断面図である。
【図５】図１の調節機構の拡大図である。
【図６】図１の後方側連結部の側面図である。
【図７】変形例の下限ストッパの斜視図である。
【発明を実施するための形態】
【００１６】
以下、この発明の一実施形態について図１〜図６を参照して説明する。なお、これら各図には、台車の進行方向及び車幅方向を必要に応じて示す。
まず、図１及び図２を参照して、台車の主要な構成について説明する。
【００１７】
台車は、荷物が載置される矩形状の載置台１０、載置台１０の下面に設けられた４つの主走行輪２１，２２，２３，２４、載置台１０の下面の中央付近に設けられた一対の補助走行輪３１Ａ，３１Ｂの他、補助走行輪３１Ａ，３１Ｂを走行面に向けて付勢する付勢機構４０を備えている。さらに、この付勢機構４０は、その付勢力を調節するための調節機構５０と、補助走行輪３１Ａ，３１Ｂを近接離間可能に支持する支持部６０とを有している。
【００１８】
主走行輪２１〜２４は車軸の延伸方向が変更可能な自在型車輪であり、載置台１０の下面の四隅に矩形状をなす態様で固定されている。一方、補助走行輪３１Ａ，３１Ｂは車軸の延伸方向が固定された固定型車輪であり、載置台１０の下面に設けられている。ここで、これら補助走行輪３１Ａ，３１Ｂは主走行輪２１〜２４の対角中心に設けられている。すなわち、台車の進行方向前方であって車幅方向左方に配設された主走行輪２１と同進行方向後方であって車幅方向右方に配設された主走行輪２４とを結ぶ対角線Ｌ１と、台車の進行方向前方であって車幅方向右方に配設された主走行輪２２と同進行方向後方であって車幅方向左方に配設された主走行輪２３とを結ぶ対角線Ｌ２との交点の近傍に、補助走行輪３１Ａ，３１Ｂは配設されている。
【００１９】
付勢機構４０の支持部６０は、載置台１０の下面に固定された基板６１と、この基板６１に固定された一対の支持壁６２Ａ，６２Ｂとを有している。これら支持壁６２Ａ，６２Ｂは、載置台１０の下方、すなわち走行面に向かって延びるとともに、車幅方向において所定間隔を隔てて設けられている。また、支持壁６２Ａ，６２Ｂには図示しない挿通孔がそれぞれ形成され、それら挿通孔にはシャフト６６が挿通されるとともに、同シャフト６６はナット６５による締結を通じて支持壁６２Ａ，６２Ｂに固定されている。なお、シャフト６６は、このように支持壁６２Ａ，６２Ｂに固定されることにより、車幅方向と平行に延伸する状態となる。
【００２０】
また、これら支持壁６２Ａ，６２Ｂの間には車輪取付台３２が設けられるとともに、同車輪取付台３２の下面３２Ａには補助走行輪３１Ａ，３１Ｂが固定されている。これら補助走行輪３１Ａ，３１Ｂは、各車軸が車幅方向と平行な一直線上に位置する状態で隣接している。車輪取付台３２は矩形状をなし、台車の進行方向前方に位置する辺縁には一対のカラー６７が固定されている。これらカラー６７にシャフト６６が遊挿されている。これにより、車輪取付台３２の台車の進行方向における後方側部分は同シャフト６６を軸として揺動することができる。すなわち、車輪取付台３２に固定された補助走行輪３１Ａ，３１Ｂは載置台１０に対して近接離間可能な態様で支持されている。
【００２１】
また、支持壁６２Ａ，６２Ｂの間には、上限ストッパ６３が設けられている。上限ストッパ６３は、断面Ｌ字状をなしシャフト６６と平行に延伸するとともに、その各端部が支持壁６２Ａ，６２Ｂに固定されている。この上限ストッパ６３は補助走行輪３１Ａ，３１Ｂの走行面との接地面が載置台１０に最も近接したときの距離を制限する。
【００２２】
一方、支持壁６２Ａの側面には、補助走行輪３１Ａ，３１Ｂの走行面との接地面が載置台１０から最も離間したときの距離を制限するための下限ストッパ６４が設けられている。
【００２３】
なお、以下の説明では、補助走行輪３１Ａ，３１Ｂの走行面との接地面が載置台１０に最も近接したときの距離を「最小離間距離」、補助走行輪３１Ａ，３１Ｂの走行面との接地面が載置台１０から最も離間したときの距離を「最大離間距離」と定義する。
【００２４】
調節機構５０は、台車の進行方向に伸縮する一対の引っ張りばね（以下、単に「ばね」と称する）４１と、これらばね４１の弾性力（引っ張り力）を調節する調節棒５１とを備えている。また、載置台１０の下面には、断面Ｌ字形状の支持プレート５２が固定されている。調節棒５１は、台車の進行方向後方の端部が支持プレート５２に形成された図示しない挿通孔に挿通されるとともに、支持プレート５２を挟む態様で一対のナット５３により同支持プレート５２に取り付けられている。このように支持プレート５２に取り付けられることで調節棒５１は台車の進行方向に延伸する状態となる。
【００２５】
また、調節棒５１において、台車の進行方向前方の端部には、車幅方向に延伸する連結棒４２Ｂが固定されている。この連結棒４２Ｂには台車の進行方向後方に位置する各ばね４１の端部が取り付けられている。一方、車輪取付台３２に固定されたばね取付プレート３３には連結棒４２Ａが固定されている。この連結棒４２Ａには台車の進行方向前方に位置する各ばね４１の端部が取り付けられている。このため、各ばね４１の弾性力によって車輪取付台３２はその進行方向後方部分が走行面に向けて付勢される。その結果、補助走行輪３１Ａ，３１Ｂは各ばね４１によって走行面に向けて付勢されることとなる。
【００２６】
図２に示すように、載置台１０には、台車の進行方向においてその前方には前方連結部１１が、後方には後方連結部１２がそれぞれ設けられている。後方連結部１２には、前方連結部１１の先端部分が挿入可能な受け部１２Ｃが設けられるとともに、ピン１２Ｂが挿入可能な一対の連結孔１２Ａが形成されている。一方、前方連結部１１の先端にはピン１２Ｂが挿入可能な連結孔１１Ａが形成されている。なお、載置台１０の進行方向前方には、取手７０が設けられている。
【００２７】
次に、図３及び図４を併せ参照して、補助走行輪３１Ａ，３１Ｂの揺動態様について説明する。なお、図３では、説明の便宜上、車輪取付台３２に設けられている補助走行輪３１Ａ，３１Ｂ等の図示を割愛している。
【００２８】
図３（Ａ）に示すように、支持壁６２Ａの側面には、下限ストッパ６４を支持壁６２Ａに固定するためのねじが形成された３つの取付孔６８Ａ，６８Ｂ，６８Ｃが設けられている。一方、図３（Ｂ）に示すように、下限ストッパ６４には、車輪取付台３２が揺動したときに同車輪取付台３２と接触可能な突出部６４Ａが設けられている。
【００２９】
車輪取付台３２がシャフト６６を軸として図３の実線に示す位置まで回動すると、下限ストッパ６４の突出部６４Ａが車輪取付台３２の下面３２Ａと接触し、その揺動が規制されるようになる。この結果、補助走行輪３１Ａ，３１Ｂはそれ以上、載置台１０から離間しなくなり、図４（Ａ）に示すように、補助走行輪３１Ａ，３１Ｂの最大離間距離が制限されることとなる。
【００３０】
一方、車輪取付台３２がシャフト６６を軸として図３の２点鎖線の位置まで回動すると、上限ストッパ６３が車輪取付台３２の上面３２Ｂと接触し、その揺動が規制されるようになる。この結果、補助走行輪３１Ａ，３１Ｂそれ以上、載置台１０に近接しなくなり、図４（Ｂ）に示すように、補助走行輪３１Ａ，３１Ｂの最小離間距離が制限されることとなる。
【００３１】
また、図３（Ｂ）に示すように、ボルト６９によって下限ストッパ６４を選択した任意の取付孔６８Ａ〜６８Ｃに選択的に螺合させることで下限ストッパ６４を支持壁６２Ａに取り付けることにより、補助走行輪３１Ａ，３１Ｂの最大離間距離を調節することが可能となる。具体的には、取付孔６８Ａ、６８Ｂ、６８Ｃの順に補助走行輪３１Ａ，３１Ｂの最大離間距離が長くなる。このため、台車を凹凸の小さい走行面を走行させるときには、この最大離間距離を短くする一方、凹凸の大きい走行面を走行させるときにはこれを長くする、といったように、同最大離間距離を走行面の凹凸の状況に応じた態様をもって適切に調節することができる。
【００３２】
次に、図５を参照して、調節機構５０によるばね４１の弾性力の調節の態様について説明する。なお、図５は図１における支持プレート５２の近傍を拡大した図である。
上述したように、調節棒５１は一対のナット５３によって、支持プレート５２に固定されている。図５（Ａ）に示す状態では、調節棒５１は支持プレート５２から進行方向の後方に向けて所定の長さ（以下、「突出長Ｘ」と称する）だけ突出している。ここで、この突出長Ｘを適宜変更することにより、補助走行輪３１Ａ，３１Ｂと走行面との接地圧を変更することができる。例えば、補助走行輪３１Ａ，３１Ｂと走行面との接地圧を大きくしたいときには、ナット５３を緩めて調節棒５１を進行方向後方に引っ張り、調節棒５１を再度ナット５３で固定する。すなわち、突出長Ｘを図５（Ｂ）に示すように長くする。これにより調節棒５１に接続されたばね４１の弾性力が増大し、その結果、補助走行輪３１Ａ，３１Ｂの走行面に向けた付勢力を増大させることができるようになる。
【００３３】
次に、図６を参照して、前方連結部１１及び後方連結部１２の連結態様について説明する。
図６に示すように、両連結部１１，１２を連結する際には、後方連結部１２の受け部１２Ｃに前方連結部１１の先端部分を挿入した後、ピン１２Ｂを各連結孔１１Ａ，１２Ａに貫通させる。これにより前方連結部１１及び後方連結部１２が連結される。
【００３４】
そして、台車を単独で手押し台車として使用する場合には、取手７０を把持して図中の進行方向とは反対の方向に押して走行させる。一方、台車を複数台連結して牽引する場合には、上述したように、前方連結部１１と後方連結部１２とが連結され、牽引車により牽引して図中の進行方向前方に走行させる。
【００３５】
以上説明した本実施形態によれば、以下の作用効果を得ることができる。
（１）上述した台車では、ばね４１の弾性力によって補助走行輪３１Ａ，３１Ｂが載置台１０から走行面に向かって離間するように付勢されるため、走行面に凹凸が存在していても、その凹凸の状況に応じてばね４１の弾性変形量が変化する。それによって発生する付勢力によって補助走行輪３１Ａ，３１Ｂを走行面に適切な圧力をもって接地させることができる。したがって、凹凸が存在する走行面を台車が走行する場合であっても、直進性を低下させることなく高い旋回性を維持することができるようになる。さらに、作業者は取付孔６８Ａ〜６８Ｃを選択することによって、補助走行輪３１Ａ，３１Ｂの最大離間距離を調節することが可能となる。このため、凹凸の小さい走行面を走行させるときには最大離間距離を短くする一方、凹凸の大きい走行面を走行させるときには最大離間距離を長くするといったように、同最大離間距離を走行面の凹凸の状況に応じて態様をもって適切に調節することができる。したがって、上述したような直進性を低下させることなく高い旋回性を維持する、といった効果を一層効果的なものとすることができるようになる。また、主走行輪２１〜２４はいずれも車軸の延伸方向が変更可能な自在型車輪であり、補助走行輪３１Ａ，３１Ｂは車軸の延伸方向が車幅方向に固定される固定型車輪である。そのため、直進性を低下させることなく高い旋回性を維持する効果をより一層高めることができる。
【００３６】
（２）補助走行輪３１Ａ，３１Ｂは車幅方向と平行な一直線上に車軸が位置する一対の隣接した固定型車輪によって構成されるため、補助走行輪を一つだけ設けた構成と比較して走行面と補助走行輪３１Ａ，３１Ｂとの間に生じる摩擦力を増大させることができる。そのため、台車の進行方向を変更させるときに発生するサイドフォースに起因して台車に横滑りが発生することを抑制することができ、その旋回性を一層向上させることができるようになる。
【００３７】
（３）主走行輪２１〜２４は載置台１０の下面において矩形状をなす態様で配設され、補助走行輪３１Ａ，３１Ｂは載置台１０の下面においてそれら主走行輪の対角中心に配設されている。このため、補助走行輪３１Ａ，３１Ｂを中心として載置台１０が回動しやすくなるため、台車の旋回性をさらに向上させることができる。さらに、主走行輪２１〜２４の対角中心に配設された補助走行輪３１Ａ，３１Ｂは地面に向かって付勢されているため、台車は補助走行輪３１Ａ，３１Ｂを支点として旋回する。従って、台車が旋回するときの内輪差が大きくなることを抑制することができる。この効果は、特に台車を連結して牽引したときに、補助走行輪を有さない台車と比較して顕著となる。
【００３８】
（４）主走行輪２１〜２４と走行面との接地圧は載置台１０に載置される荷物の重量によって変化する。これに対して、補助走行輪３１Ａ，３１Ｂと走行面との接地圧は、付勢機構４０により補助走行輪３１Ａ，３１Ｂを走行面に向けて付勢する際の付勢力、換言すれば同付勢力を発生させるためのばね４１の弾性力に基づいて一義的に決定されるため、荷物の荷重に関わらず一定となる。ここで、荷物の重量が大きいために主走行輪２１〜２４と走行面との接地圧に対して補助走行輪３１Ａ，３１Ｂと走行面との接地圧が過度に小さくなる場合には、上述した補助走行輪３１Ａ，３１Ｂによる高い旋回性の維持が困難になる。その一方、荷物の重量が小さいために主走行輪２１〜２４と走行面との接地圧に対して、補助走行輪３１Ａ，３１Ｂと走行面との接地圧が過度に大きくなる場合には、直進性が悪化する等、台車の走行が不安定となるおそれがある。
この点、本実施形態にかかる台車では、ばね４１の弾性力を調節することにより、台車の使用状況、具体的には載置台１０に載置される荷物の重量に応じて補助走行輪３１Ａ，３１Ｂと走行面との接地圧を適切な大きさに調節することができる。そのため、高い旋回性を維持しつつ、台車の走行の安定性についてその更なる向上を図ることが可能となる。
【００３９】
（５）載置台１０には進行方向の前方及び後方の双方に他の台車を連結するための前方連結部１１及び後方連結部１２が設けられているため、単独で手押し台車として使用することはもとより、状況に応じて複数の台車を連結して牽引する態様で台車を使用することもできるようになる。
【００４０】
（その他の実施形態）
なお、この発明の実施態様は上記実施形態にて例示した態様に限られるものではなく、これを例えば以下に示すように変更して実施することもできる。また以下の各変形例は、上記実施形態についてのみ適用されるものではなく、異なる変形例同士を互いに組み合わせて実施することもできる。
【００４１】
・上記実施形態では、補助走行輪３１Ａ，３１Ｂの最大離間距離を調節するために、取付孔６８Ａ〜６８Ｃに下限ストッパ６４を取り付けたが、下限ストッパ６４の取付態様は次のように変更することができる。
【００４２】
すなわち、図７に示すように、下限ストッパ６４をワッシャー８１及びボルト８２及びナット８４で一つの長孔８３の所定の位置に固定する態様とすることもできる。この構成によれば、補助走行輪３１Ａ，３１Ｂと載置台１０との間の最大離間距離を無段階で調節することができるようになる。
【００４３】
・上記実施形態では、主走行輪２１〜２４を自在型車輪としたが、進行方向の前方に設けている主走行輪２１，２２を固定型車輪、進行方向の後方に設けている主走行輪２３，２４を自在型車輪とすることができる。また、進行方向の前方に設けている主走行輪２１，２２を自在型車輪、進行方向の後方に設けている主走行輪２３，２４を固定型車輪とすることができる。この構成によっても、上記（１）〜（５）に準じた効果を得ることができる。
【００４４】
・上記実施形態では、補助走行輪３１Ａ，３１Ｂを車幅方向に平行な一直線上に車軸が位置する一対の隣接した固定型車輪としたが、この補助走行輪を１つまたは３つ以上の車輪により構成することもできる。この構成によっても、上記（１）〜（５）に準じた効果を得ることができる。
【００４５】
・上記実施形態では、主走行輪を４つ設けたが、これら主走行輪は少なくとも４つ設けられていればいくつでもよい。この構成によっても、上記（１）〜（５）に準じた効果を得ることができる。
【００４６】
・上記実施形態では、補助走行輪３１Ａ，３１Ｂは、載置台１０の下面において矩形状に配置された主走行輪２１〜２４の対角中心に配設されたが、補助走行輪３１Ａ，３１Ｂはこれら矩形状に配設された主走行輪２１〜２４の領域内であればよい。この構成によっても、上記（１）〜（５）に準じた効果を得ることができる。
【００４７】
・上記実施形態では、主走行輪２１〜２４は載置台１０の下面の四隅に矩形状をなす態様で配置されたが、これら主走行輪は台形状等の他の態様で配置することもできる。この構成によっても、上記（１）〜（５）に準じた効果を得ることができる。
【符号の説明】
【００４８】
１０…載置台、１１…前方連結部、１１Ａ…連結孔、１２…後方連結部、１２Ａ…連結孔、１２Ｂ…ピン、１２Ｃ…受け部、２１…主走行輪、２２…主走行輪、２３…主走行輪、２４…主走行輪、３１Ａ…補助走行輪、３１Ｂ…補助走行輪、３２…車輪取付台、３２Ａ…下面、３２Ｂ…上面、３３…ばね取付プレート、４０…付勢機構、４１…ばね、４２Ａ…連結棒、４２Ｂ…連結棒、５０…調節機構、５１…調節棒、５２…支持プレート、６０…支持部、６１…基板、６２Ａ…支持壁、６２Ｂ…支持壁、６３…上限ストッパ、６４…下限ストッパ、６４Ａ…ストッパ本体、６４Ｂ…ストッパ先端、６５…ナット、６６…シャフト、６７…カラー、６８Ａ…取付孔、６８Ｂ…取付孔、６８Ｃ…取付孔、７０…取手、８１…ワッシャー、８２…ボルト、８３…孔、８４…ナット。
【図１】
0005692507.tif 000002
【図２】
0005692507.tif 000003
【図３】
0005692507.tif 000004
【図４】
0005692507.tif 000005
【図５】
0005692507.tif 000006
【図６】
0005692507.tif 000007
【図７】
0005692507.tif 000008